(57)【要約】【課題】空気調和機の室外機にて発生する電磁波が、室外機外部へ漏れることを抑制する。【解決手段】大電流が流れることで発生する電磁波を抑制するために、少なくとも２以上のリアクタ２０，２１または２２，２３を用い、互いに天板または底面を対向するように室外機内部の仕切り板１１にリアクタを取付ける。これにより、コイルに電流が流れることで発生する磁界を相殺することができるので室外機から外部へ電磁波が漏れることを抑制することができる。【選択図】図１
2005274094.tif 000002
【特許請求の範囲】
【請求項１】
筐体内に収納された電気部品を制御する制御装置と、この制御装置と共に電気回路を構成する少なくとも２以上のリアクタと、これらリアクタを取付ける仕切り板とを有する室外機において、前記リアクタの互いのコイルに流れる電流の方向が相反する方向となるように前記仕切り板にリアクタを設置したことを特徴とする空気調和機。
【請求項２】
リアクタの天板同士を対向させて設置したことを特徴とする請求項１に記載の空気調和機。
【請求項３】
リアクタの底板同士を対向させて設置したことを特徴とする請求項１に記載の空気調和機。
【発明の詳細な説明】
【技術分野】
【０００１】
本発明は、空気調和機のリアクタの取付け構造に関するものである。
【背景技術】
【０００２】
従来から空気調和機に用いられているリアクタを、図３に示す。
【０００３】
図３において、１は取付け板であり、この取付け板１の上にコア２が設けられている。コア２には、コイル３を通す穴（図示せず）が設けられており、その穴を用いてコイル３の巻き数を調整することができる。４は、コイルの両端に各々設けられた端子部であり、コイル３と他の電気部品、例えば、制御基板などと電線（図示せず）を介して接続する。
【０００４】
このリアクタの一般的な取付け構造としては、図４に示すような取付け構造がよく知られている。図４において、底板５上に室外機の側壁を形成する横板６が設けられてあり、その内部をファン７があるファン室８と圧縮機９を設置する圧縮機室１０とに仕切る仕切り板１１が設けられている。圧縮機室１０には、室外機を制御する制御基板（図示せず）を収納する制御基板収納部１２と、制御基板と電気回路を構成するリアクタ１３が設けられている。この状態を前板１４と天板１５で囲うことで室外機が構成されている。
【０００５】
また、図５に示すように、２つのリアクタ１３ａ、１３ｂを用いる構成の室外機もある。２つのリアクタ１３ａ、１３ｂを用いる目的は、通電時間を長くし、力率を改善し、高調波対策として用いることが一般的に知られている。（例えば、特許文献１参照）
【特許文献１】特開平６−２８８５８１号公報
【発明の開示】
【発明が解決しようとする課題】
【０００６】
しかしながら、上記従来の構成では、リアクタのコイルに電流が流れるとコイル周辺に磁界が発生し、室外機から低周波磁界が漏洩することがある。特に近年、ＩＥＣ６２２３３などに見られるように、この低周波磁界を低減することが要望されている。
【０００７】
しかしながら、コイルに電流が流れるとその周囲に磁界が発生することは自明の原理であるとともに、空気調和機のように流れる電流が大きくなると、発生する磁界も大きくなるという課題を有していた。
【０００８】
本発明はこのような従来の課題を解決するものであり、空気調和機の室外機から外部へ伝播される電磁波を抑制することを目的とするものである。
【課題を解決するための手段】
【０００９】
上記従来の課題を解決するために本発明の空気調和機は、少なくとも２以上のコイルの巻線方向が等しいリアクタをコイルの巻線方向が相反するように対向して設置することで、電流が流れることによって発生する磁界を相殺するものである。
【発明の効果】
【００１０】
本発明の空気調和機は、リアクタをコイルの巻線方向が相反するように対向して設置することで、コイルに電流が流れるときに発生する磁界の方向を逆方向として相殺し、内部で発生する磁界を低減することができるので、空気調和機から外部に漏洩する磁界を抑制することができる。
【発明を実施するための最良の形態】
【００１１】
第１の発明は、少なくとも２以上のリアクタをコイルの巻線方向が相反するように対向して設置し、互いのコイルに流れる電流の方向が相反する方向となるように設置したものである。これにより、コイルに電流が流れるときに発生する磁界の方向を逆方向として、相殺することができる。その結果、空気調和機内部で発生する磁界を低減することができるので、空気調和機から外部に漏洩する磁界を抑制することができる。
【００１２】
第２の発明は、特に第１の発明で、リアクタの天面同士を対向して設置するものである。これにより、コイルに電流が流れるときに発生する磁界を相殺することができる。
【００１３】
第３の発明は、特に第１の発明で、リアクタの底面同士を対向して設置するものである。これにより、コイルに電流が流れるときに発生する磁界を相殺することができる。
【００１４】
以下に本発明の実施の形態について図面を参照しながら説明する。
【００１５】
（実施の形態１）
図１は本発明の実施の形態１におけるリアクタの取付けを説明する空気調和機の室外機の分解斜視図である。なお、図４と同じ構成要素については同一の符号を付与し、その説明を省略する。
【００１６】
図１において、２０は第１のリアクタであり、２１は、第２のリアクタである。これら、第１及び第２のリアクタ２０、２１は、同じ特性を有するリアクタであり、これらを図１に示すように天板同士を対向させるように室外機の仕切り板１１に取付ける。その後、これらのトランス２０、２１に互いに相反する方向に電流が流れるように電線をリアクタの端子に接続する（図示せず）。
【００１７】
上記のように設置された室外機を運転した場合、負荷に応じてリアクタ２０、２１に流れる電流値は変動するが、その値が大きくなったとしても、コイル周辺に発生する磁界が相反するため、室外機内部から室外機外部へ漏洩する磁界を弱めることができる。
【００１８】
（実施の形態２）
次に図２は、本発明の実施の形態２におけるリアクタの取付けを説明する空気調和機の室外機の分解斜視図である。
【００１９】
本形態は、実施の形態１とは逆に、リアクタ２２、２３の底面を対向するように室外機の仕切り板１１に取付けたものである。この場合も、実施の形態１と同様に、これらのリアクタ２２、２３の巻線に互いに相反する方向に電流が流れるように電線をリアクタの端子に接続する（図示せず）。
【００２０】
上記のように設置された室外機を運転した場合、負荷に応じてリアクタ２２、２３に流れる電流値は変動するが、その値が大きくなったとしても、コイル周辺に発生する磁界が相反するため、室外機内部から室外機外部へ漏洩する磁界を弱めることができる。
【産業上の利用可能性】
【００２１】
本発明の空気調和機のリアクタ取付け方法は、リアクタで発生する磁界を相殺して外部に漏れるのを抑制することができるので、ＩＥＣ等の電磁波規制対策を要求される電子レンジ等の電気機器にも適用できる。
【図面の簡単な説明】
【００２２】
【図１】本発明の実施の形態１における空気調和機の室外機の分解斜視図
【図２】本発明の実施の形態２における空気調和機の室外機の分解斜視図
【図３】リアクタの外観斜視図
【図４】従来の空気調和機の室外機の分解斜視図
【図５】従来の他の空気調和機の室外機の分解斜視図
【符号の説明】
【００２３】
１１  仕切り板
１２  制御装置
２０  リアクタ
２１  リアクタ
２２  リアクタ
２３  リアクタ
【図１】
2005274094.tif 000003
【図２】
2005274094.tif 000004
【図３】
2005274094.tif 000005
【図４】
2005274094.tif 000006
【図５】
2005274094.tif 000007